(57)【特許請求の範囲】
【請求項１】
印刷すべき画像を指定し、該画像の画像データの格納されているアドレス情報からなる複数の印刷ジョブをジョブ記憶手段にキューイングするとともに、印刷ジョブの実行時には前記ジョブ記憶手段に記憶した印刷ジョブを解析し、前記アドレス情報から画像データを取り込んで印刷データを作成し、その印刷データに基づいて印刷媒体に画像を印刷するプリンタにおいて、
外部装置と接続するための所定のインターフェースであって、印刷すべき画像の画像データのアドレス情報からなる印刷ジョブのデータ並びに印刷のための画像自体のデータを受信するインターフェースと、
前記印刷ジョブのキューイングを制御する制御手段とを備え、
前記制御手段は、印刷ジョブに基づく印刷中に、前記印刷ジョブのデータを前記ジョブ記憶手段にキューイングをする一方、前記ジョブ記憶手段に印刷ジョブがキューイングされているときには前記インターフェースを介して前記印刷のための画像自体のデータを受け付けないよう制御することを特徴とするプリンタ。
【請求項２】
請求項１に記載のプリンタにおいて、
前記画像データの格納されているアドレス情報からなる印刷ジョブは、印刷枚数を指定する印刷指定枚数情報を含むことを特徴とするプリンタ。
【請求項３】
請求項１又は２に記載のプリンタにおいて、
前記画像データは、可搬性の記憶媒体に記憶されていて、プリンタに備えられた画像データ読取手段にて該画像データが読み出されるようにしたことを特徴とするプリンタ。
【発明の詳細な説明】
【０００１】
【発明の属する技術分野】
本発明はプリンタに係り、詳しくは、いわゆるスタンドアロンタイプのシリアルインクジェットプリンタに好適なプリンタに関するものである。
【０００２】
【従来の技術】
近年、ＰＣカードやＩＣメモリ等の可搬性の記憶媒体に記憶した画像データ（ＲＧＢ画像データ）をパソコンを介さずに直接プリンタに取り込んでプリンタ内部で印刷データ（ＣＭＹＫデータ）に編集し印刷媒体としての記録紙に印刷するようにしたスタンドアロンタイプのプリンタが提案されている。
【０００３】
ところで、この種のプリンタは、内蔵されたＣＰＵによって、印刷すべき画像データの格納されているアドレス情報（ファイルが格納されるパス）とその画像の印刷枚数を指定する印刷指定枚数とからなる印刷ジョブを作成する。そして、ＣＰＵはその作成した印刷ジョブをＲＡＭにキューイングすることができるようになっている。
【０００４】
ＲＡＭにキューイングされた印刷ジョブを実行するとき、ＣＰＵはそのＲＡＭから印刷ジョブを読み出し、その印刷ジョブ中のアドレス情報（画像ファイルが格納されるパス）に基づいて記憶媒体から画像データを読み出す。ＣＰＵは、その読み出した画像データ（ＲＧＢデータ）から印刷データ（ＣＭＹＫデータ）を作成し、その印刷データと印刷ジョブに指定された印刷枚数とに基づいて、印刷エンジンを駆動させて指定枚数の記録紙に画像を印刷する。
【０００５】
つまり、ユーザは、事前に又は印刷ジョブに基づく印刷中に、複数の印刷ジョブを作成する。ＣＰＵは、作成した印刷ジョブをＲＡＭにキューイングする。ＣＰＵは、一つの印刷ジョブに基づく印刷が終了するごとに、ＲＡＭに記憶した複数の印刷ジョブをキューイングした順番に読み出す。そして、ＣＰＵは、その読み出した印刷ジョブに基づいて記憶媒体から画像データを読み出して印刷データを作成し、その印刷データと印刷ジョブに指定した印刷指定枚数とに基づいて指定枚数の記録紙に画像を印刷する。
【０００６】
【発明が解決しようとする課題】
ところで、この種のスタンドアロンタイプのプリンタにおいても、入出力インターフェースを備えて、パーソナルコンピュータ（パソコン）やデジタルカメラ等の外部装置との間でデータの授受ができるようになっている。そして、プリンタは、それら外部装置からの印刷データに基づいて印刷することもできるようになっている。
【０００７】
しかしながら、プリンタにおいて、ＲＡＭに複数の印刷ジョブがキューイングされていてそれら印刷ジョブに基づいて印刷が実行されているとき、外部装置から大容量の印刷データが入力されたときメモリが容量不足となり問題となる。そこで、この種のスタンドアロンタイプのプリンタは、外部装置との間で効率の良い印刷処理を行うことが求められている。
【０００８】
本発明は、上記問題点を解消するためになされたものであって、その目的は、外部装置からの印刷に関するデータに影響されることなく効率のよい印刷処理を行うことができるプリンタを提供するにある。
【０００９】
【課題を解決するための手段】
請求項１に記載の発明は、印刷すべき画像を指定し、該画像の画像データの格納されているアドレス情報からなる複数の印刷ジョブをジョブ記憶手段にキューイングするとともに、印刷ジョブの実行時には前記ジョブ記憶手段に記憶した印刷ジョブを解析し、前記アドレス情報から画像データを取り込んで印刷データを作成し、その印刷データに基づいて印刷媒体に画像を印刷するプリンタにおいて、外部装置と接続するための所定のインターフェースであって、印刷すべき画像の画像データのアドレス情報からなる印刷ジョブのデータ並びに印刷のための画像自体のデータを受信するインターフェースと、前記印刷ジョブのキューイングを制御する制御手段とを備え、前記制御手段は、印刷ジョブに基づく印刷中に、前記印刷ジョブのデータを前記ジョブ記憶手段にキューイングをする一方、前記ジョブ記憶手段に印刷ジョブがキューイングされているときには前記インターフェースを介して前記印刷のための画像自体のデータを受け付けないよう制御することをその要旨とする。
【００１１】
請求項２に記載の発明は、請求項１に記載のプリンタにおいて、前記画像データの格納されているアドレス情報からなる印刷ジョブは、印刷枚数を指定する印刷指定枚数情報を含むことをその要旨とする。
【００１２】
請求項３に記載の発明は、請求項１又は２に記載のプリンタにおいて、前記画像データは、可搬性の記憶媒体に記憶されていて、プリンタに備えられた画像データ読取手段にて該画像データが読み出されるようにしたことをその要旨とする。
【００１３】
（作用）
請求項１〜３に記載の発明によれば、印刷ジョブがキューイングされているとき、制御手段は外部装置からのデータが入力されたとき、そのデータ（外部装置からの印刷のための画像自体のデータ）を入力させない。従って、プリンタは外部装置から入力されるデータによって影響されることがなく印刷処理を効率よく行うことができる。
【００１４】
加えて、請求項２に記載のプリンタによれば、印刷ジョブの実行時に印刷指定枚数情報で指定された枚数の印刷媒体に画像が印刷される。
【００１５】
加えて、請求項３に記載のプリンタによれば、印刷ジョブは可搬性の記録媒体に記憶された画像データを画像データ読取手段にて読み出される。
【００１６】
【発明の実施の形態】
以下、本発明をスタンドアロンタイプのカラーインクジェットプリンタに具体化した一実施形態を図１〜図４に従って説明する。
【００１７】
図１は、カラーインクジェットプリンタ（以下、プリンタという）の電気的構成を示すブロック回路を示す。
図１において、プリンタ１０は、入出力インターフェース１１、ＰＣカード駆動装置１２、表示制御装置１３、入力装置１４、スクリーンメモリ１５、イメージメモリ１６、メモリ１７、印刷装置１８及び主制御装置１９を備えている。そして、これら各装置１１〜１９はバス２０を介して接続されている。
【００１８】
インターフェースとしての入出力インターフェース１１は、外部装置としてのパーソナルコンピュータ（以下、パソコンという）２１と信号線Ｌ１を介して接続されて、パソコン２１からのデータを前記主制御装置１９に出力したり、主制御装置１９からのデータをパソコン２１に出力するようになっている。
【００１９】
画像データ読取手段としてのＰＣカード駆動装置１２は、プリンタ１０のケースのスロットに装着された可搬性の記憶媒体としてのＰＣカード２２に記憶された画像データを読み取る。
【００２０】
表示制御装置１３は、主制御装置１９からの表示制御信号に基づいて液晶表示装置からなるモニタ１３ａに種々の画面を表示する。また、表示制御装置１３は、モニタ１３ａに表示されたＧＵＩ（グラフィックユーザインターフェース）に基づいて選択された各種の動作の選択を制御信号として主制御装置１９に出力する。
【００２１】
入力装置１４は、プリンタ１０のケース上面に設けられた操作スイッチや、前記モニタ１３ａに表示されたＧＵＩ等から構成されている。そして、これら操作スイッチ及びＧＵＩの選択操作に基づいて主制御装置１９に対して各種の動作を指示するようになっている。
【００２２】
スクリーンメモリ１５は、ＲＡＭで構成され主制御装置１９が読み作成した前記モニタ１３ａに表示するための画像の画像データ（ＲＧＢデータ）が記憶される。イメージメモリ１６は、ＲＡＭで構成され、主制御装置１９が作成した印刷データが記憶される。メモリ１７は、ＥＥＰＲＯＭで構成され、画像データから印刷データを作成する際に使用されるＲＧＢデータに対するＹＣＭＫデータに色変換するためのＬＵＴテーブル等が記憶されている。
【００２３】
印刷装置１８は、前記イメージメモリ１６に記憶された印刷データに基づいて印刷媒体としての記録紙に画像を印刷する。詳述すると、印刷装置１８は、紙送りモータ等を含む紙送り機構や、キャリッジモータ、印字ヘッド等を含む印字機構を備えている。そして、印刷装置１８は、印刷データに基づいて紙送り機構及び印字機構が制御されて記録紙に画像を印刷する。
【００２４】
主制御装置１９は、各装置を統括制御する装置であって、制御手段としてのＣＰＵ１９ａ、ＲＯＭ１９ｂ、ＥＥＰＲＯＭ１９ｃ、ジョブ記憶手段としてのＲＡＭ１９ｄを備えている。ＣＰＵ１９ａは、ＲＯＭ１９ｂ及びＥＥＰＲＯＭ１９ｃに記憶された制御プログラム及び各種アプリケーションプログラムに従って印刷のための各種の演算処理動作を実行する。アプリケーションプログラムには、印刷ジョブ作成プログラム、印刷データ作成プログラム、印刷プログラム、印刷ジョブ取り込みプログラムがある。
【００２５】
ＥＥＰＲＯＭ１９ｃは、図４に示すように印刷媒体としての記録紙５０に画像や文字を配置するための予め設けられた画像配列領域５１や文字配列領域５２がそれぞれ特定された各種のレイアウトパターンＰ１〜Ｐ４のパターン情報を記憶する。そして、そのパターン情報に基づいて図４に示す各種のレイアウトパターンＰ１〜Ｐ４がモニタ１３ａに表示される。ＲＡＭ１９ｄは、ＣＰＵ１９ａが演算した印刷ジョブや、その他の演算結果を一時記憶する。
【００２６】
ＣＰＵ１９ａは、前記印刷ジョブ作成プログラムに従って印刷ジョブを作成する。
ＣＰＵ１９ａは、ユーザに対して入力装置１４を操作させてモニタ１３ａに記録紙Ｐに印刷したい画像を表示させる。ＣＰＵ１９ａは、モニタ１３ａに表示される画像を前記ＰＣカード２２に記憶した画像データから読み出しその読み出した画像データに基づいて表示する。表示した画像の中から１つ印刷すべき画像を選択すると、ＣＰＵ１９ａは、その選択した画像の画像データのアドレス情報（画像のファイルが格納されるパスで指定される）をＲＡＭ１９ｄに一時記憶する。
【００２７】
次に、ＣＰＵ１９ａはユーザに対して入力装置１４を操作させてモニタ１３ａに印刷枚数を設定させるための表示をさせる。ユーザがその表示を見て印刷指定枚数情報として印刷枚数を設定すると、ＣＰＵ１９ａは設定した枚数を印刷指定枚数としてＲＡＭ１９ｄに一時記憶する。ＣＰＵ１９ａは、画像と印刷枚数を設定すると、その画像データのアドレス情報と印刷指定枚数とからなる印刷ジョブをＲＡＭ１９ｄにキューイングして印刷ジョブ作成プログラムを完了する。
【００２８】
尚、画像データのアドレス情報と印刷指定枚数からなる印刷ジョブに、印刷モード、用紙サイズ、画質、自動調整等の各種印刷に関連する情報を前記と同様に入力装置１４を操作して設定し、これら関連する情報を属性情報として加えてもよい。因みに、印刷モードはインデックス印刷、１コマ印刷、アルバム印刷等である。用紙種類は写真用紙、普通紙等である。用紙サイズはロール紙のサイズ、Ａ４サイズ、はがき等である。画質は最高画質、高画質、高速等である。自動調整はプリントイメージマッチング、オートフォトファイン等である。
【００２９】
又、ＣＰＵ１９ａは、印刷ジョブ作成プログラムに従って前記ＥＥＰＲＯＭ１９ｃに記憶した各種のレイアウトパターンＰ１〜Ｐ４のパターン情報を利用して印刷ジョブを作成することができる。
【００３０】
詳述すると、ＣＰＵ１９ａは、ユーザに対して入力装置１４を操作させてモニタ１３ａに各種のレイアウトパターンＰ１〜Ｐ４を表示させる。そして、例えば、図４に示すレイアウトパターンＰ２を選択する。そして、ＣＰＵ１９ａは、ユーザに対して該レイアウトパターンＰ２の画像配列領域５１とその画像配列領域５１に印刷する画像データを選択させる。このとき、ＣＰＵ１９ａは、ユーザの入力装置１４に操作に基づいてＰＣカード駆動装置１２を介してＰＣカード２２に記憶された画像データを読み出しデコードして一旦スクリーンメモリ１５に記憶する。そして、ＣＰＵ１９ａは、表示制御装置１３を制御してそのスクリーンメモリ１５に記憶されたデコードされた画像データをモニタ１３ａに表示させる。
【００３１】
そして、レイアウトパターンＰ２における画像配列領域５１とその画像配列領域５１に対する画像データが選択されると、ＣＰＵ１９ａは、その選択した画像データのファイル名とその画像データの種類（ＪＰＥＧ等）を印刷情報作成のためにＲＡＭ１９ｄに一時記憶させる。
【００３２】
画像データに選択が終了すると、ＣＰＵ１９ａは、印刷指定枚数、印刷モード、用紙サイズ、画質、自動調整等の各種印刷に関連する情報を前記と同様に入力装置１４を操作して設定し印刷情報作成のためにＲＡＭ１９ｄに一時記憶させる。因みに、印刷モードはインデックス印刷、１コマ印刷、アルバム印刷等である。用紙種類は写真用紙、普通紙等である。用紙サイズはロール紙のサイズ、Ａ４サイズ、はがき等である。画質は最高画質、高画質、高速等である。自動調整はプリントイメージマッチング、オートフォトファイン等である。
【００３３】
次に、ユーザは入力装置１４を操作して設定したレイアウトパターンＰ１〜Ｐ４、画像データ及び印刷に関する関連情報を確定する。このとき、ＣＰＵ１９ａは、前記ＲＡＭ１９ｄに一時記憶させておいたレイアウトパターン、画像データ及び印刷に関する関連情報を使用して図２に示すような印刷情報３０を作成する。
【００３４】
リンクポインタ部３１は、その印刷情報３０のＩＤを示すデータ（ポインタ）が記憶され、その印刷情報３０を作成する際に割り付けられる。ステータス部３２は、その印刷情報３０の状態を示すデータが保存される。
【００３５】
印刷情報部３３は、前記入力装置１４で設定したレイアウトパターンと前記印刷モード、用紙サイズ、画質等の印刷に関する各種設定が保存される。
リソース情報部３４は、印刷やその他に関わる情報がある場合にはその情報が保存される。印刷やその他に関わる情報として、ＤＰＯＦ（Digital Print Order Format；ディーポフ）ファイルの有無等がある。
【００３６】
印刷ファイル情報部３５は、選択したレイアウトパターンの各画像配列領域を特定するデータ（印刷レイアウト情報）が保存される。例えば、レイアウトパターンＰ１の場合は、各画像配列領域５１の位置データである。また、印刷ファイル情報部３５は、選択したレイアウトパターンの各画像配列領域に印刷される画像の画像ファイルの格納場所を示すパス（アドレス情報３６）が保存される。さらに、印刷ファイル情報部３５は、その保存される画像データの種類（ＪＰＥＧ等）が保存される。尚、図２において、画像ファイルがＸＹＺ．ＪＰＧで示される場合のアドレス情報３６の例を示している。
【００３７】
ＣＰＵ１９ａは、１つの印刷情報３０を作成すると、その印刷情報３０を一つの印刷ジョブとしてＲＡＭ１９ｄにキューイングする。尚、この場合、印刷情報３０のうち選択した画像ファイルのアドレス情報及び印刷指定枚数を印刷ジョブとし、そのアドレス情報及び印刷指定枚数を除くその他の情報を印刷ジョブの属性情報としている。
【００３８】
又、ＣＰＵ１９ａは、ＲＡＭ１９ｄに印刷ジョブがキューイングされている時、前記入出力インターフェース１１に対して外部装置としてのパソコン２１からのデータを受け入れないように制御するようになっている。つまり、ＲＡＭ１９ｄに印刷ジョブがキューイングされている時は、パソコン２１から出力されてくるデータによって印刷処理が影響を受けないようにしている。
【００３９】
プリンタ１０は、ＲＡＭ１９ｄに記憶した印刷ジョブを使って印刷することができる。ＣＰＵ１９ａは、まず、印刷データ作成プログラムに従って前記ＲＡＭ１９ｄの印刷ジョブを解析し印刷データを作成し、次に印刷プログラムに従ってその作成した印刷データに基づいて前記印刷装置１８を介して記録紙に印刷を行う。
【００４０】
詳述すると、ＣＰＵ１９ａは、印刷データ作成プログラムに従ってＲＡＭ１９ｄから先頭の印刷ジョブを読み出し、その印刷ジョブを解析する。
そして、ＣＰＵ１９ａは、印刷ジョブ中の選択した画像の画像データのファイルが格納されるアドレス情報を抽出する。そして、ＣＰＵ１９ａは、その画像データのアドレス情報に基づいてＰＣカード駆動装置１２を介してＰＣカード２２からそのファイル名の画像データ（ＲＧＢデータ）を読み出す。この読み出された画像データは、伸長された後に印刷データ（ＣＭＹＫデータ）に変換される。このとき、ＣＰＵ１９ａは、前記属性情報が付随されている場合、それら属性情報を考慮してその記録紙５０に選択された画像が印刷されるための印刷データを作成するようになっている。
【００４１】
そして、ＣＰＵ１９ａがその作成した印刷データをイメージメモリ１６に記憶させると、印刷データ作成プログラムは完了する。
イメージメモリ１６に１つの印刷ジョブに基づく印刷データが記憶されると、ＣＰＵ１９ａは、印刷プログラムに従ってその印刷データをラスターデータとして順番に読み出して印刷装置１８を駆動制御して記録紙に印刷を行う。このとき、ＣＰＵ１９ａは、印刷ジョブ中の印刷指定枚数に基づいてその枚数だけ印刷を行う。
【００４２】
以上は、プリンタ本体で印刷ジョブの処理について説明した。次に、パソコン２１の間のデータ処理について説明する。
ＲＡＭ１９ｄに印刷ジョブがないときは、プリンタ１０は、前記入出力インターフェース１１を介して前記パソコン２１との間で印刷のための画像自体のプリント言語よりなるデータを入力する。つまり、プリンタ１０は、パソコン２１が同パソコン２１上のプリンタドライバにて作成した印刷データを入力し、同印刷データに基づいて印刷装置１８を駆動制御して記録紙に印刷を行うことができるようになっている。
【００４３】
さらに、プリンタ１０は、前記入出力インターフェース１１を介して前記パソコン２１が作成した前記プリンタ１０と同様の印刷すべき画像の該画像データのアドレス情報と印刷指定枚数からなる印刷ジョブも入力可能になっている。パソコン２１は、プリンタ１０が作成した印刷ジョブと同様の印刷ジョブを作成することができる。詳述すると、ユーザは、パソコン２１を操作して同コンピュータ２１を介して接続される記憶媒体としてのハードディスク、ＣＤＲＯＭ、ＭＯ、又は、フロッピーディスク等に保存した画像データを使って、印刷ジョブを作成する。そして、パソコン２１は、その作成した印刷ジョブをプリンタ１０に転送することができるようになっている。
【００４４】
一方、ＲＡＭ１９ｄに印刷ジョブがあるときは、ＣＰＵ１９ａは入出力インターフェース１１に対してパソコン２１からのデータを受け入れないように制御している。従って、ＲＡＭ１９ｄに印刷ジョブがあるときは、パソコン２１からのデータは入出力インターフェース１１によって入力されない。
【００４５】
次に、プリンタ１０とパソコン２１とのデータの授受について、図３に示すフローチャートに従って説明する。
今、パソコン２１からデータが転送されてくると、入出力インターフェース１１は、まず印刷ジョブがＲＡＭ１９ｄにキューイングされているか否か判断する（ステップＳ１）。印刷ジョブがＲＡＭ１９ｄにキューイングされている場合（ステップＳ１でＹＥＳ）、入出力インターフェース１１はＣＰＵ１９ａによってパソコン２１からのデータを受け入れないように制御しているため、そのデータを入力しない（ステップＳ２）。続いて、ＣＰＵ１９ａは、入出力インターフェース１１の入力拒否に応答してデータを受け入れない旨のメッセージをパソコン２１に転送して終了する（ステップＳ３）。
【００４６】
一方、印刷ジョブがＲＡＭ１９ｄにキューイングされていない場合（ステップＳ１でＮＯ）、入出力インターフェース１１はパソコン２１からのデータを受け入れる。そして、ＣＰＵ１９ａは、パソコン２１からのデータが印刷のための画像自体のプリント言語で記述されたデータか否か判断する（ステップＳ４）。パソコン２１からのデータが画像自体のプリント言語よりなるデータの場合（ステップＳ２でＹＥＳ）、ＣＰＵ１９ａは該データを受け入れてパソコン２１からの印刷データに基づいて記録紙に印刷を行う（ステップＳ５，Ｓ６）。
【００４７】
また、ステップ４において、パソコン２１からのデータが印刷ジョブのデータである場合（ステップＳ４でＮＯ）、ＣＰＵ１９ａはその印刷ジョブをＲＡＭ１９ｄにキューイングした後（ステップＳ７）、印刷ジョブとしてキューイングされた旨のメッセージをパソコン２１に転送して終了する（ステップＳ８）。
【００４８】
尚、前記ステップＳ８において、ＲＡＭ１９ｄに記憶されたパソコン２１からの印刷ジョブは、印刷の順番がくるとＣＰＵ１９ａによって解析されて印刷データが作成され、イメージメモリ１６に記憶される。この場合、プリンタ１０上で作成した印刷ジョブと相違する点は、パソコン２１のハードディスク、ＣＤＲＯＭ、ＭＯ、又は、フロッピーディスク等に保存された画像データである点が相違する。従って、ＣＰＵ１９ａは、その印刷ジョブから印刷に供されるパソコン２１のハードディスク、ＣＤ、又は、フロッピーディスク等に保存されている画像データのファイルが格納されるアドレス情報を抽出する。そして、ＣＰＵ１９ａは、そのアドレス情報からパソコン２１のハードディスク、ＣＤ又は、フロッピーディスク等に保存されている同ファイルを読み出して印刷データを前記と同様に作成することになる。
【００４９】
上記したように、本実施形態によれば、以下の効果を有する。
（１）本実施形態によれば、ＲＡＭ１９ｄに印刷ジョブがキューイングされている状態で、プリンタ１０にインターフェース１１を介してパソコン２１からデータが入力されたときには、ＣＰＵ１９ａは該データを受け入れないようにした。従って、パソコン２１からのデータが入力されないので、該データがＲＡＭ１９ｄ等に格納されることはない。その結果、ＲＡＭ１９ｄに印刷ジョブがキューイングされている状態で、パソコン２１からのデータが入力されてＲＡＭ１９ｄが該データによって占有されて印刷に支障をきたす等印刷処理に悪影響を与えることはない。
【００５０】
（２）本実施形態によれば、パソコン２１からのデータを受け入れない場合、その旨のメッセージをパソコン２１に出力した。従って、ユーザは、メッセージを見て送信したデータが拒否されたことを認識することができる。
【００５１】
（３）本実施形態によれば、プリンタ１０は、印刷ジョブかキューイングされていない時に、パソコン２１かプリンタ言語のデータが入力されたときには、そのデータを受け入れ、同データに基づいて直ちに印刷を行えるようにした。従って、プリンタ１０が印刷動作していないときには、パソコン２１は、印刷データに基づく通常の印刷をプリンタ１０に行わせることができる。
【００５２】
尚、本発明の実施形態は、以下のように変更してもよい。
○上記実施形態では、ＣＰＵ１９ａは、ＰＣカード２２の画像データを使って印刷情報を作成した。これを、ＣＰＵ１９ａは、コンピュータ２１を介して接続した記憶媒体としてのハードディスク、ＣＤＲＯＭ、ＭＯ、又は、フロッピーディスク等に保存した画像データをモニタ１３ａに表示させて、その表示させた画像データに基づいて印刷情報を作成するようにしてもよい。これにより、利用できる画像データの範囲を広げることができる。
【００５３】
○上記実施形態では、可搬性の記憶媒体としてＰＣカード２２を用いたが、プリンタ１０に接続されるメモリカード、ＣＤＲＯＭ、ＭＯ等で実施してもよい。○上記実施形態では、外部装置としてパソコン２１を用いたが、画像データを保存している記憶媒体を備えたデジタルカメラ等を外部装置として実施してもよい。
【００５４】
○上記実施形態では、プリンタ１０は信号線Ｌ１を介してパソコン２１と接続したが、インターネット、専用回線、公衆回線、イントラネット、エクストラネットを介して接続して実施してもよい。
【００５５】
【発明の効果】
請求項１〜３に記載の発明によれば、外部装置に影響されることがなく印刷処理を効率よく行うことができる。
【００５６】
加えて、請求項２に記載のプリンタによれば、印刷ジョブの実行時に印刷指定枚数情報で指定された枚数の印刷媒体に画像が印刷される。
加えて、請求項３に記載のプリンタによれば、印刷ジョブは可搬性の記録媒体に記憶された画像データを画像データ読取手段にて読み出される。
【図面の簡単な説明】
【図１】  本発明を具体化したスタンドアロンタイプのカラーインクジェットプリンタの電気的構成を示すブロック回路図である。
【図２】  印刷情報のデータ構造を説明するための図である。
【図３】  カラーインクジェットプリンタのパソコンに対するデータの授受について処理動作を説明するためのフローチャート図である。
【図４】  レイアウトパターンを説明するための図である。
【符号の説明】
１０  カラーインジェットプリンタ
１１  インターフェースとしての入出力インターフェース
１２  画像データ読取手段としてのＰＣカード駆動装置
１３  表示制御装置
１３ａ  モニタ
１４  入力装置
１５  スクリーンメモリ
１６  イメージメモリ
１７  メモリ
１８  印刷制御装置
１９  主制御装置
１９ａ  制御手段としてのＣＰＵ
１９ｂ  ＲＯＭ
１９ｃ  ＥＥＰＲＯＭ
１９ｄ  ジョブ記憶手段としてのＲＡＭ
２１  外部装置としてのパーソナルコンピュータ（パソコン）
２２  可搬性の記憶媒体としてのＰＣカード
３０  印刷情報
３６  アドレス情報
Ｐ１〜Ｐ４  印刷レイアウト情報としてのレイアウトパターン
【図１】
0003838122.tif 000002
【図２】
0003838122.tif 000003
【図３】
0003838122.tif 000004
【図４】
0003838122.tif 000005